【手続補正書】
【提出日】平成25年5月30日(2013.5.30)
【手続補正１】
【補正対象書類名】特許請求の範囲
【補正対象項目名】全文
【補正方法】変更
【補正の内容】
【特許請求の範囲】
【請求項１】
複数の画像を記憶する画像記憶手段と、
前記画像記憶手段により記憶された複数の画像の中から少なくともひとつの画像を読み出す第１画像読み出し手段と、
前記画像記憶手段に記憶された画像を順次読み出すとともに、当該読み出し動作を繰り返す第２画像読み出し手段と、
前記第１及び第２画像読み出し手段のいずれかで画像が読み出される毎に、複数の変換パラメータの中からひとつの変換パラメータを選択するとともに、前記第１画像読み出し手段にて読み出す場合と前記第２画像読み出し手段にて読み出す場合とで前記選択の対象となる変換パラメータの数を異ならせるパラメータ読み出し手段と、
前記読み出された画像の画調を、前記選択された変換パラメータに基づいた変換度合いで変換する画調変換手段と、
この画調変換手段にて画調を変換された画像を表示手段に表示させる表示制御手段と、
を備える画像表示装置。
【請求項２】
前記画像表示装置はさらに、夫々異なる複数の変換パラメータを記憶するパラメータ記憶手段を有し、
前記パラメータ読み出し手段は、前記第１及び第２画像読み出し手段のいずれかで画像が読み出される毎に、前記パラメータ記憶手段に記憶された複数の変換パラメータの中からひとつの変換パラメータを選択して読み出す、請求項１記載の画像表示装置。
【請求項３】
前記パラメータ読み出し手段は、前記パラメータ記憶手段に記憶された複数の変換パラメータのうち、前記選択の対象となっている変換パラメータの中からランダムにひとつの変換パラメータを読み出す、請求項２記載の画像表示装置。
【請求項４】
前記パラメータ読み出し手段は、前記第２画像読み出し手段にて読み出す場合は、前記第１画像読み出し手段にて読み出す場合と比べて前記パラメータ記憶手段から選択の対象となっている変換パラメータの数を多くする、請求項３記載の画像表示装置。
【請求項５】
前記パラメータ記憶手段は、変換パラメータとして筆触パターンを表わすパラメータを複数種記憶し、前記画調変換手段は、この筆触パターンに基づいて前記読み出された画像を絵画調に変換する請求項２記載の画像表示装置。
【請求項６】
複数の画像を記憶する画像記憶手段を有する画像表示装置における画像表示方法であって、
前記画像記憶手段により記憶された複数の画像の中から少なくともひとつの画像を読み出す第１画像読み出しステップと、
前記画像記憶手段に記憶された画像を順次読み出すとともに、当該読み出し動作を繰り返す第２画像読み出しステップと、
前記第１及び第２画像読み出しステップのいずれかで画像が読み出される毎に、複数の変換パラメータの中からひとつの変換パラメータを選択するとともに、前記第１画像読み出しステップにて読み出す場合と前記第２画像読み出しステップにて読み出す場合とで前記選択の対象となる変換パラメータの数を異ならせるパラメータ読み出しステップと、
前記読み出された画像の画調を、前記選択された変換パラメータに基づいた変換度合いで変換する画調変換ステップと、
この画調変換ステップにて画調を変換された画像を表示手段に表示させる表示制御ステップと、
を含む画像表示方法。
【請求項７】
複数の画像を記憶する画像記憶手段を有する画像表示装置として用いられるコンピュータに、
前記画像記憶手段により記憶された複数の画像の中から少なくともひとつの画像を読み出す第１画像読み出しステップと、
前記画像記憶手段に記憶された画像を順次読み出すとともに、当該読み出し動作を繰り返す第２画像読み出しステップと、
前記第１及び第２画像読み出しステップのいずれかで画像が読み出される毎に、複数の変換パラメータの中からひとつの変換パラメータを選択するとともに、前記第１画像読み出しステップにて読み出す場合と前記第２画像読み出しステップにて読み出す場合とで前記選択の対象となる変換パラメータの数を異ならせるパラメータ読み出しステップと、
前記読み出された画像の画調を、前記選択された変換パラメータに基づいた変換度合いで変換する画調変換ステップと、
この画調変換ステップにて画調を変換された画像を表示手段に表示させる表示制御ステ
ップと、
を実行させる画像表示制御プログラム。
【請求項８】
複数の画像を記憶する画像記憶手段と、
前記画像記憶手段により記憶された複数の画像の中から少なくともひとつの画像を読み出す第１画像読み出し手段と、
前記画像記憶手段に記憶された画像を順次読み出すとともに、当該読み出し動作を繰り返す第２画像読み出し手段と、
前記第１画像読み出し手段にて読み出す場合と前記第２画像読み出し手段にて読み出す場合前記第１画像読み出し手段にて読み出す場合とで、前記読み出された画像の画調を、互いに異なる画調で変換する画調変換手段と、
この画調変換手段にて画調を変換された画像を表示手段に表示させる表示制御手段と、
を備える画像表示装置。
【請求項９】
前記画調変換手段は、前記第１画像読み出し手段にて読み出す場合は、複数の種類の画調の中から１つの画調の種類を選択し、前記第２画像読み出し手段にて読み出す場合は前記複数の種類の画調の中から複数の画調の種類を選択して、選択された画調で変換する請求項８記載の画像表示装置。
【請求項１０】
前記画調変換手段は、前記第１画像読み出し手段に手読み出す場合は、Ｎ１種の種類の画調の中から１つの画調の種類を選択し、前記第２画像読み出し手段にて読み出す場合はＮ２種の種類の画調の中から画調の種類を選択して、選択された画調で変換することを特徴とし、Ｎ１＞Ｎ２であることを特徴とする請求項９記載の画像表示装置。
【請求項１１】
前記画調変換手段は、前記第２画像読み出し手段にて読み出す場合は、読み出すたびに異なる種類の画調を選択する請求項８記載の画像表示装置。
【請求項１２】
前記画調変換手段は、前記第２画像読み出し手段にて読み出す場合は、読み出すたびに異なる種類の画調をランダムに選択する請求項８記載の画像表示装置。
【請求項１３】
前記画像変換手段は、前記第２画像読み出し手段で画像が読み出される場合に、前記読み出された画像の画調を、前記第１画像読み出し手段で画像が読み出される場合よりも、大きな変換度合いで変換する請求項８記載の画像表示装置。
【請求項１４】
前記１つの画像の種類は、画像の画調を変換するためのひとつの変換パラメータを有している請求項８記載の画像表示装置。
【請求項１５】
前記画調変換手段は、
前記第１及び第２画像読み出し手段のいずれかで画像が読み出される毎に、複数の変換パラメータの中からひとつの変換パラメータを選択するとともに、前記第１画像読み出し手段にて読み出す場合と前記第２画像読み出し手段にて読み出す場合とで前記選択の対象となる変換パラメータを異ならせるパラメータ読み出し手段をさらに備え、
前記読み出された画像の画調を、前記選択された変換パラメータに基づいたて変換する請求項８記載の画像表示装置。
【請求項１６】
前記画調変換手段は、
前記第１及び第２画像読み出し手段のいずれかで画像が読み出される毎に、複数の変換パラメータの中からひとつの変換パラメータを選択するとともに、前記第１画像読み出し手段にて読み出す場合と前記第２画像読み出し手段にて読み出す場合とで前記選択の対象となる変換パラメータの数を異ならせるパラメータ読み出し手段をさらに備え、
前記読み出された画像の画調を、前記選択された変換パラメータに基づいて変換する請求項８記載の画像表示装置。
【請求項１７】
コンピュータを、
複数の画像を記憶する画像記憶手段と、
前記画像記憶手段により記憶された複数の画像の中から少なくともひとつの画像を読み出す第１画像読み出し手段と、
前記画像記憶手段に記憶された画像を順次読み出すとともに、当該読み出し動作を繰り返す第２画像読み出し手段と、
前記第１画像読み出し手段にて読み出す場合と前記第２画像読み出し手段にて読み出す場合前記第１画像読み出し手段にて読み出す場合とで、前記読み出された画像の画調を、互いに異なる画調で変換する画調変換手段と、
この画調変換手段にて画調を変換された画像を表示手段に表示させる表示制御手段と  して機能させる画像表示制御プログラム。
【手続補正２】
【補正対象書類名】明細書
【補正対象項目名】００１３
【補正方法】変更
【補正の内容】
【００１３】
また、請求項６記載の発明に係る画像表示方法にあっては、複数の画像を記憶する画像記憶手段を有する画像表示装置における画像表示方法であって、前記画像記憶手段により記憶された複数の画像の中から少なくともひとつの画像を読み出す第１画像読み出しステップと、前記画像記憶手段に記憶された画像を順次読み出すとともに、当該読み出し動作を繰り返す第２画像読み出しステップと、前記第１及び第２画像読み出しステップのいずれかで画像が読み出される毎に、複数の変換パラメータの中からひとつの変換パラメータを選択するとともに、前記第１画像読み出しステップにて読み出す場合と前記第２画像読み出しステップにて読み出す場合とで前記選択の対象となる変換パラメータの数を異ならせるパラメータ読み出しステップと、前記読み出された画像の画調を、前記選択された変換パラメータに基づいた変換度合いで変換する画調変換ステップと、この画調変換ステップにて画調を変換された画像を表示手段に表示させる表示制御ステップと、を含むことを特徴とする。
また、請求項７記載の発明に係る画像表示制御プログラムにあっては、複数の画像を記憶する画像記憶手段を有する画像表示装置として用いられるコンピュータに、前記画像記憶手段により記憶された複数の画像の中から少なくともひとつの画像を読み出す第１画像読み出しステップと、前記画像記憶手段に記憶された画像を順次読み出すとともに、当該読み出し動作を繰り返す第２画像読み出しステップと、前記第１及び第２画像読み出しステップのいずれかで画像が読み出される毎に、複数の変換パラメータの中からひとつの変換パラメータを選択するとともに、前記第１画像読み出しステップにて読み出す場合と前記第２画像読み出しステップにて読み出す場合とで前記選択の対象となる変換パラメータの数を異ならせるパラメータ読み出しステップと、前記読み出された画像の画調を、前記選択された変換パラメータに基づいた変換度合いで変換する画調変換ステップと、この画調変換ステップにて画調を変換された画像を表示手段に表示させる表示制御ステップと、を実行させることを特徴とする。
【手続補正３】
【補正対象書類名】明細書
【補正対象項目名】００１４
【補正方法】変更
【補正の内容】
【００１４】
さらに、請求項８記載の発明では、複数の画像を記憶する画像記憶手段と、前記画像記憶手段により記憶された複数の画像の中から少なくともひとつの画像を読み出す第１画像読み出し手段と、前記画像記憶手段に記憶された画像を順次読み出すとともに、当該読み出し動作を繰り返す第２画像読み出し手段と、前記第１画像読み出し手段にて読み出す場合と前記第２画像読み出し手段にて読み出す場合前記第１画像読み出し手段にて読み出す場合とで、前記読み出された画像の画調を、互いに異なる画調で変換する画調変換手段と、この画調変換手段にて画調を変換された画像を表示手段に表示させる表示制御手段と、を備える画像表示装置を提供するものである。
また、請求項９記載の発明では、前記画調変換手段は、前記第１画像読み出し手段にて読み出す場合は、複数の種類の画調の中から１つの画調の種類を選択し、前記第２画像読み出し手段にて読み出す場合は前記複数の種類の画調の中から複数の画調の種類を選択して、選択された画調で変換する請求項８記載の画像表示装置を提供するものである。
また、請求項１０記載の発明では、前記画調変換手段は、前記第１画像読み出し手段に手読み出す場合は、Ｎ１種の種類の画調の中から１つの画調の種類を選択し、前記第２画像読み出し手段にて読み出す場合はＮ２種の種類の画調の中から画調の種類を選択して、選択された画調で変換することを特徴とし、Ｎ１＞Ｎ２であることを特徴とする請求項９記載の画像表示装置を提供するものである。
また、請求項１１記載の発明では、前記画調変換手段は、前記第２画像読み出し手段にて読み出す場合は、読み出すたびに異なる種類の画調を選択する請求項８記載の画像表示装置を提供するものである。
また、請求項１２記載の発明では、前記画調変換手段は、前記第２画像読み出し手段にて読み出す場合は、読み出すたびに異なる種類の画調をランダムに選択する請求項８記載の画像表示装置を提供するものである。
また、請求項１３記載の発明では、前記画像変換手段は、前記第２画像読み出し手段で画像が読み出される場合に、前記読み出された画像の画調を、前記第１画像読み出し手段で画像が読み出される場合よりも、大きな変換度合いで変換する請求項８記載の画像表示装置を提供するものである。
また、請求項１４記載の発明では、前記１つの画像の種類は、画像の画調を変換するためのひとつの変換パラメータを有している請求項８記載の画像表示装置を提供するものである。
また、請求項１５記載の発明では、前記画調変換手段は、前記第１及び第２画像読み出し手段のいずれかで画像が読み出される毎に、複数の変換パラメータの中からひとつの変換パラメータを選択するとともに、前記第１画像読み出し手段にて読み出す場合と前記第２画像読み出し手段にて読み出す場合とで前記選択の対象となる変換パラメータを異ならせるパラメータ読み出し手段をさらに備え、前記読み出された画像の画調を、前記選択された変換パラメータに基づいたて変換する請求項８記載の画像表示装置を提供するものである。
また、請求項１６記載の発明では、前記画調変換手段は、前記第１及び第２画像読み出し手段のいずれかで画像が読み出される毎に、複数の変換パラメータの中からひとつの変換パラメータを選択するとともに、前記第１画像読み出し手段にて読み出す場合と前記第２画像読み出し手段にて読み出す場合とで前記選択の対象となる変換パラメータの数を異ならせるパラメータ読み出し手段をさらに備え、前記読み出された画像の画調を、前記選択された変換パラメータに基づいて変換する請求項８記載の画像表示装置を提供するものである。
また、請求項１７記載の発明では、コンピュータを、複数の画像を記憶する画像記憶手段と、前記画像記憶手段により記憶された複数の画像の中から少なくともひとつの画像を読み出す第１画像読み出し手段と、前記画像記憶手段に記憶された画像を順次読み出すとともに、当該読み出し動作を繰り返す第２画像読み出し手段と、前記第１画像読み出し手段にて読み出す場合と前記第２画像読み出し手段にて読み出す場合前記第１画像読み出し手段にて読み出す場合とで、前記読み出された画像の画調を、互いに異なる画調で変換する画調変換手段と、この画調変換手段にて画調を変換された画像を表示手段に表示させる表示制御手段として機能させる画像表示制御プログラムを提供するものである。